(57)【要約】  一形態に係るウォッシャー液の加熱装置は、ウォッシャー液を収容する容器と、ウォッシャー液の収容空間を上下に仕切るデフレクタと、デフレクタによって仕切られた収容空間の下側にウォッシャー液を流入させる流入部と、デフレクタによって仕切られた収容空間の上側に設けられ、容器内からウォッシャー液が流出する流出部と、収容空間に位置する加熱部と、を備え、デフレクタには、収容空間の下側から上側に向かってウォッシャー液を通す複数の孔う略均等に分散して配置されている。
2017159373.tif 000002
【特許請求の範囲】
【請求項１】
ウォッシャー液を収容する容器と、
前記ウォッシャー液の収容空間を上下に仕切る仕切部材と、
前記仕切部材によって仕切られた前記収容空間の下側にウォッシャー液を流入させる流入部と、
前記仕切部材によって仕切られた前記収容空間の上側に設けられ、前記容器内から前記ウォッシャー液が流出する流出部と、
前記収容空間に位置する加熱部と、を備え、
前記仕切部材には、前記収容空間の下側から上側に向かって前記ウォッシャー液を通す複数の孔部が略均等に分散して配置されている、
ウォッシャー液の加熱装置。
【請求項２】
前記複数の孔部における前記ウォッシャー液の流路断面積の合計は、前記流入部における前記ウォッシャー液の流路断面積よりも大きい、
請求項１に記載のウォッシャー液の加熱装置。
【請求項３】
前記仕切部材は、下方に突出する複数の第１突起を有する、
請求項１又は２に記載のウォッシャー液の加熱装置。
【請求項４】
前記仕切部材は、前記流入部に対向する位置で下方に突出する第２突起を有する、
請求項１〜３のいずれか一項に記載のウォッシャー液の加熱装置。
【請求項５】
前記仕切部材は、柔軟性を有する材料で構成されている、
請求項１〜４のいずれか一項に記載のウォッシャー液の加熱装置。
【請求項６】
前記仕切部材は、前記仕切部材の外縁から内側に延びるスリットを有する、
請求項５に記載のウォッシャー液の加熱装置。
【発明の詳細な説明】
【技術分野】
【０００１】
本開示は、ウォッシャー液の加熱装置に関する。
【背景技術】
【０００２】
従来から、車両のフロントガラスに付着した霜を溶かす等の目的でフロントガラス等に噴射されるウォッシャー液は知られている。車両等には、このウォッシャー液を加熱する加熱装置が搭載されている。特開２０１２−１４４１９４号公報には、有底筒状のウォッシャー液の加温装置が記載されている。この加温装置は、ウォッシャー液が収容される保温貯湯室と、保温貯湯室の内部に設けられた小型加熱室とを備えている。小型加熱室の内部空間には電気式ヒーターが設けられる。小型加熱室の内部には、円板状の可動式絞り蓋が収容されており、この可動式絞り蓋には円形の中心穴が形成されている。【０００３】
実開平４−１１１７５号公報には、洗浄液を収容するタンクと、送液管路を介してタンクに接続された中間タンクと、中間タンクに収容された洗浄液を自動車の窓ガラスに噴射する噴射ノズルと、を備えた車両窓ガラス洗浄装置が記載されている。この車両窓ガラス洗浄装置では、中間タンクの内部に電気加熱器が組み込まれており、この電気加熱器が洗浄液を加熱する。また、中間タンクの内部における電気加熱器の上方には、３枚の有孔邪魔板が上下に並べられている。有孔邪魔板は、中間タンク内で生じる急激な対流を防止するために設けられている。
【先行技術文献】
【特許文献】
【０００４】
【特許文献１】特開２０１２−１４４１９４号公報
【特許文献２】実開平４−１１１７５号公報
【発明の概要】
【発明が解決しようとする課題】
【０００５】
前述したウォッシャー液の加熱装置では、ウォッシャー液を収容する容器内に有孔邪魔板が設けられることにより、電気加熱器で温められたウォッシャー液の急激な上昇が抑えられ、有孔邪魔板の上側における対流を抑えることが可能となる。しかしながら、前述した公報の車両窓ガラス洗浄装置では、３枚の有孔邪魔板が上下に並設されているので、ウォッシャー液の圧力損失が大きいという問題がある。ウォッシャー液の圧力損失が大きい場合には、容器の外部に流出するウォッシャー液の圧力が小さくなるので、噴射ノズルから噴射されるウォッシャー液の位置が低下してしまうという問題が生じうる。【０００６】
また、上記の有孔邪魔板において、有孔邪魔板の孔部の位置が偏っている場合には、孔部を通過するウォッシャー液の流れが偏ることにより、有孔邪魔板の上側でウォッシャー液の撹拌が生じやすくなる。有孔邪魔板の上側で撹拌が生じると、加熱されたウォッシャー液が撹拌されてしまうので、十分に加熱されたウォッシャー液のみを容器から流出できない。従って、容器外に流出するウォッシャー液の温度が低下するという問題が生じうる。【０００７】
本開示は、ウォッシャー液の圧力損失を抑制すると共に、容器外に流出するウォッシャー液の温度低下を抑制することができるウォッシャー液の加熱装置を説明する。
【課題を解決するための手段】
【０００８】
本開示の一形態に係るウォッシャー液の加熱装置は、ウォッシャー液を収容する容器と、ウォッシャー液の収容空間を上下に仕切る仕切部材と、仕切部材によって仕切られた収容空間の下側にウォッシャー液を流入させる流入部と、仕切部材によって仕切られた収容空間の上側に設けられ、容器内からウォッシャー液が流出する流出部と、収容空間に位置する加熱部と、を備え、仕切部材には、収容空間の下側から上側に向かってウォッシャー液を通す複数の孔部が略均等に分散して配置されている。【０００９】
このウォッシャー液の加熱装置は、容器の内部におけるウォッシャー液の収容空間を上下に仕切る仕切部材と、仕切部材によって仕切られた収容空間の下側にウォッシャー液を流入させる流入部と、を備えている。従って、収容空間に流入したウォッシャー液は、下側から仕切部材に当たることになる。仕切部材によって急激なウォッシャー液の上昇を抑えることができ、ウォッシャー液をゆっくり上昇させることが可能となる。また、仕切部材には、下側から上側にウォッシャー液を通す複数の孔部が略均等に分散して配置されている。従って、略均等に分散して配置された複数の孔部のそれぞれからウォッシャー液が上昇する。よって、ウォッシャー液をスムーズに上昇させることができると共に、ウォッシャー液の圧力損失を低減させることができる。また、仕切部材からは略均等にウォッシャー液がゆっくり上昇するので、仕切部材の上側で撹拌を生じにくくすることができる。更に、ウォッシャー液が流出する流出部は仕切部材の上側に設けられる。従って、流出部から十分に加熱されたウォッシャー液を流出させることができるので、容器外に流出するウォッシャー液の温度低下を抑制することができる。更に、仕切部材によって、収容空間の上側の部分と下側の部分とが仕切られるので、下側の部分に熱を逃げにくくすることができる。従って、流出部から流出するウォッシャー液の温度低下を一層確実に抑制できる。【００１０】
また、複数の孔部におけるウォッシャー液の流路断面積の合計は、流入部におけるウォッシャー液の流路断面積よりも大きくてもよい。この場合、複数の孔部からウォッシャー液がよりスムーズに上昇するので、ウォッシャー液の圧力損失をより確実に低減させることができる。【００１１】
また、仕切部材は、下方に突出する複数の第１突起を有してもよい。この場合、仕切部材から下側に複数の第１突起が突出する。従って、流入したウォッシャー液が下方から複数の第１突起に流れ込むことにより、仕切部材の下側においてウォッシャー液を撹拌させることができる。よって、仕切部材からのウォッシャー液の急激な上昇をより確実に抑えると共に、仕切部材からのウォッシャー液の上昇をより均一にさせることができる。【００１２】
また、仕切部材は、流入部に対向する位置で下方に突出する第２突起を有してもよい。この場合、容器内に流入したウォッシャー液は第２突起に流れ込むので、第２突起でウォッシャー液の流れを分散させることができる。よって、仕切部材からのウォッシャー液の急激な上昇を一層確実に抑えることができ、仕切部材からウォッシャー液を均一に且つゆっくりと上昇させることができる。更に、流入したウォッシャー液が分散されることにより、仕切部材に対するウォッシャー液の流入圧力を低減させることができる。よって、ウォッシャー液の流入に伴う仕切部材の振動を一層確実に抑えることができる。【００１３】
また、仕切部材は、柔軟性を有する材料で構成されていてもよい。この場合、仕切部材を容易に撓ませることができるので、容器内部への仕切部材の配置を容易に行うことができる。【００１４】
また、仕切部材は、仕切部材の外縁から内側に延びるスリットを有してもよい。この場合、仕切部材を一層容易に撓ませることができるので、容器内部への仕切部材の配置を一層容易に行うことができる。
【発明の効果】
【００１５】
本開示によれば、ウォッシャー液の圧力損失を抑制すると共に、容器外に流出するウォッシャー液の温度低下を抑制することができる。
【図面の簡単な説明】
【００１６】
【図１】図１は、第１実施形態に係るウォッシャー液の加熱装置を備えたウォッシャー液の供給システムを概略的に示す図である。
【図２】図２は、第１実施形態に係るウォッシャー液の加熱装置を示す縦断面図である。
【図３】図３（ａ）は、仕切部材を上方から見た斜視図である。図３（ｂ）は、仕切部材の平面図である。
【図４】図４（ａ）は、仕切部材を下方から見た斜視図である。図４（ｂ）は、仕切部材の底面図である。
【図５】図５は、図２の仕切部材を拡大した断面図である。
【図６】図６は、第２実施形態に係るウォッシャー液の加熱装置を示す縦断面図である。
【発明を実施するための形態】
【００１７】
以下、本開示に係るウォッシャー液の加熱装置の実施形態について図面を参照しながら説明する。図面の説明において、同一又は相当する要素には同一の符号を付し、重複する説明を省略する。
【００１８】
（第１実施形態）
以下では、本実施形態に係るウォッシャー液の加熱装置１を自動車のウォッシャー液の供給システムＳに適用した例について説明する。なお、図１では、加熱装置１の図示を簡略化している。図１に示されるように、ウォッシャー液の供給システムＳは、加熱装置１と、ウォッシャー液を貯留するウォッシャー液タンク２と、ウォッシャー液タンク２の出口側に設けられたウォッシャー液ポンプ３と、自動車のフロントウインドウガラスに対向して設けられたウォッシャー液ノズル４とを備えている。
【００１９】
加熱装置１は、ウォッシャー液ポンプ３とウォッシャー液ノズル４との間に設けられる。ウォッシャー液ポンプ３及び加熱装置１には操作部５が接続されている。この操作部５は、自動車のドライバ等によって操作される部位であり、操作部５が操作されることによってウォッシャー液ポンプ３が作動する。
【００２０】
加熱装置１とウォッシャー液タンク２とは、第１管路６を介して接続されている。第１管路６には、ウォッシャー液ポンプ３が配置されている。加熱装置１とウォッシャー液ノズル４とは、第２管路７を介して接続されている。第２管路７には、加熱装置１の内部の収容空間Ａに収容されたウォッシャー液に圧力を付与する逆流防止弁８が設けられている。逆流防止弁８は、ハウジング８ａと、第２管路７の端部を封止するボール８ｂと、ボール８ｂを第２管路７側に所定の押圧力で押し付けるスプリング８ｃとを有する。ボール８ｂ及びスプリング８ｃはハウジング８ａの内部に収容される。供給システムＳでは、ウォッシャー液ポンプ３による吐出圧が逆流防止弁８による押圧力を上回ることによって、ウォッシャー液ノズル４からウォッシャー液が噴出する。
【００２１】
図２に示されるように、加熱装置１は、底部１１ｇが上方を向くように配置される有底円筒状の容器１１を外観構成として備える。容器１１は、有底円筒状のカバー１１ａと、カバー１１ａの内側に配置された発泡ケース１１ｂと、発泡ケース１１ｂの内側に配置された内側容器１１ｃとを含む。
【００２２】
カバー１１ａは、例えばＰＰ（PolyPropylene）で構成されている。カバー１１ａの外側には、加熱装置１を自動車の内部に固定させる４つのブラケット１１ｄが固定されている。このブラケット１１ｄはＰＰ製であってもよい。内側容器１１ｃは、魔法瓶と同様、真空層を介した２重構造を有する。この２重構造の断熱効果によって内側容器１１ｃ内部の収容空間Ａに収容されたウォッシャー液が保温される。
【００２３】
発泡ケース１１ｂは、容器１１の開口部１１ｅを閉鎖する蓋部１１ｆを有する。蓋部１１ｆには、流入チューブ１２と、第１流出チューブ１３ａ及び第２流出チューブ１３ｂと、配線１５とが上下に通される。ウォッシャー液は、流入チューブ１２から収容空間Ａに流入し、第２流出チューブ１３ｂ及び第１流出チューブ１３ａを介して収容空間Ａから流出する。配線１５には、容器１１内に配置された棒状のヒータ１４が電気的に接続される。配線１５は、例えば、容器１１の中心軸線Ｌに沿うように通される。
【００２４】
収容空間Ａには、制御回路１６と、キャップ１７と、パッキン１８と、デフレクタ２０（仕切部材）とが設けられる。制御回路１６は配線１５の上端とヒータ１４との間に設けられる。キャップ１７には流入チューブ１２の上端及び第１流出チューブ１３ａの上端が取り付けられる。パッキン１８はキャップ１７の上側に設けられており、デフレクタ２０は収容空間Ａを上下に仕切っている。デフレクタ２０は、ウォッシャー液の導流板として機能する。
【００２５】
流入チューブ１２は第１管路６に接続しており、流入チューブ１２からウォッシャー液が容器１１内に流入する。流入チューブ１２、第１流出チューブ１３ａ及び第２流出チューブ１３ｂは、例えば、ＥＰＤＭ（Ethylene Propylene Diene Monomer）製である。流入チューブ１２、第１流出チューブ１３ａ及び第２流出チューブ１３ｂの内径は、例えば共に５．０ｍｍである。
【００２６】
キャップ１７は、流入チューブ１２の上端が接続される第１筒状部１７ａを備えており、第１筒状部１７ａの上端は、収容空間Ａにウォッシャー液が流入する流入部１７ｂとされている。流入部１７ｂの内径は例えば５．０ｍｍである。流入部１７ｂは、デフレクタ２０よりも下方に設けられる。
【００２７】
キャップ１７は、径方向に段差を有する段付き円環状とされている。キャップ１７は、前述した第１筒状部１７ａ及び流入部１７ｂと、第２筒状部１７ｃと、外縁部１７ｄと、外周部１７ｅと、挿通部１７ｆとを備える。第２筒状部１７ｃには流出チューブ１３ａ，１３ｂが接続される。外縁部１７ｄは発泡ケース１１ｂに上下に係合する。外周部１７ｅは外縁部１７ｄから発泡ケース１１ｂに沿って下方に延びており、挿通部１７ｆにはヒータ１４が挿通される。パッキン１８は、キャップ１７の第１筒状部１７ａ、第２筒状部１７ｃ及び挿通部１７ｆの上側を覆うように配置されている。パッキン１８は、第１筒状部１７ａ、第２筒状部１７ｃ及び挿通部１７ｆの液密性を確保するために設けられる。
【００２８】
第１流出チューブ１３ａは第２管路７に接続しており、第１流出チューブ１３ａから容器１１外にウォッシャー液が流出する。第１流出チューブ１３ａの上端はキャップ１７の第２筒状部１７ｃに接続されており、第２筒状部１７ｃの上側には第２流出チューブ１３ｂが接続されている。第２流出チューブ１３ｂは、第２筒状部１７ｃからデフレクタ２０を通過してデフレクタ２０よりも上方に伸びている。
【００２９】
第２流出チューブ１３ｂの上端は、収容空間Ａからウォッシャー液が流出する流出部１３ｃとされている。流出部１３ｃを上端に有する第２流出チューブ１３ｂの上側部１３ｄは、中心軸線Ｌに向かって斜めに曲げられている。流出部１３ｃは、例えば、ヒータ１４の直上、すなわち中心軸線Ｌ上に設けられている。このように流出部１３ｃをヒータ１４の直上に配置することにより、確実に温められたウォッシャー液を流出させることが可能となっている。また、流出部１３ｃによって水位Ｈまでウォッシャー液が収容されるようになっている。流出部１３ｃは、収容空間Ａ内のウォッシャー液の体積が収容空間Ａの容積の９０％以下になる箇所に位置している。
【００３０】
ヒータ１４は、制御回路１６から上方に伸びており、例えば容器１１の中心軸線Ｌに沿って配置されている。このように、ヒータ１４が中心軸線Ｌに沿って配置されることにより、ウォッシャー液の温度分布の偏りを低減させることが可能となる。ヒータ１４は、第２流出チューブ１３ｂと同様、デフレクタ２０を通過してデフレクタ２０よりも上方にまで伸びている。
【００３１】
ヒータ１４は、デフレクタ２０の上側に位置するウォッシャー液を温める。すなわち、ヒータ１４の加熱部１４ａはデフレクタ２０の上側のみに配置されている。具体的には、ヒータ１４の電熱線が設けられる部位が加熱部１４ａとされており、加熱部１４ａの下側に位置する電熱線が設けられない部位は非加熱部１４ｂとされている。また、ヒータ１４には、第２流出チューブ１３ｂとヒータ１４とを連結する複数のクランプが取り付けられており、このクランプにより第２流出チューブ１３ｂの位置が安定している。このクランプは例えばＳＵＳ製である。
【００３２】
キャップ１７の下部、ヒータ１４の下端、流入チューブ１２の上端、及び第１流出チューブ１３ａの上端は、例えば、２液接着剤によるポッティング部Ｐによって蓋部１１ｆの上部に接着固定されている。また、下方から加熱装置１を見た場合において、流入チューブ１２と第１流出チューブ１３ａとは、中心軸線Ｌに対して互いに対称となる位置に配置されている。このように流入チューブ１２と第１流出チューブ１３ａとを互いに対称となる位置に配置することによって、半割りの部材を突き合わせて容器１１を製造する場合に、この容器１１の製造を容易に行うことが可能となる。
【００３３】
デフレクタ２０は、内側容器１１ｃの内壁面に接触するように配置されている。デフレクタ２０は、円板状に形成されている。デフレクタ２０は、収容空間Ａで上側を向く上面２０ａと、上面２０ａの反対側に位置する下面２０ｂと、円形状の外縁２０ｃとを有する。デフレクタ２０は、柔軟性を有する材料によって構成されている。ここで、本明細書において「柔軟性を有する材料」とは、例えば、手で撓ませることが可能な材料であり、ゴム材料が挙げられる。本実施形態において、デフレクタ２０は、ＥＰＤＭ製である。
【００３４】
デフレクタ２０は、下方に突出する管状のヒータ挿通部２１を備える。ヒータ挿通部２１は、下面２０ｂから離れるに従って縮径する傾斜筒部２１ａと、傾斜筒部２１ａの最も縮径した箇所から中心軸線Ｌに沿って下方に延びる円筒部２１ｂとを有する。円筒部２１ｂの内径は、ヒータ１４の外径よりも若干小さい程度となっている。従って、円筒部２１ｂにヒータ１４を圧入することによって、デフレクタ２０でヒータ１４を確実に保持することが可能である。また、デフレクタ２０は、第２流出チューブ１３ｂを挿通させた状態で保持する円形のチューブ保持孔２２を有する。
【００３５】
図３（ａ）は、デフレクタ２０を上面２０ａ側から見た斜視図であり、図３（ｂ）は、デフレクタ２０の平面図である。図３（ａ）及び図３（ｂ）に示されるように、デフレクタ２０は、複数の孔部２３を有し、各孔部２３はデフレクタ２０を上下に貫通する。孔部２３は、ウォッシャー液を上方に通すために設けられる。本実施形態において、孔部２３の数は５０である。孔部２３は、例えば、円形となっており、各孔部２３の直径は２．０ｍｍである。また、前述したように、ウォッシャー液が流入する流入部１７ｂの内径は５．０ｍｍである。従って、５０個の孔部２３におけるウォッシャー液の流路断面積の合計は、流入部１７ｂにおけるウォッシャー液の流路断面積よりも大きい。
【００３６】
複数の孔部２３は、デフレクタ２０において略均等に分散して配置されている。ここで、本明細書において「複数の孔部が略均等に分散して配置されている」とは、孔部からウォッシャー液が面状に上昇するようにデフレクタ２０に満遍なく孔部が配置された状態を示している。「複数の孔部が略均等に分散して配置されている」には、例えば、複数の孔部がデフレクタの中心に対して互いに対称となるように配置されている状態、又は複数の孔部が同心円状に分散して配置されている状態が含まれる。本実施形態では、複数の孔部２３が格子状に分散して配置されている。
【００３７】
デフレクタ２０は、外縁２０ｃからデフレクタ２０の径方向内側に直線状に延びるスリット２４を有する。デフレクタ２０は、例えば、４つのスリット２４を有し、４つのスリット２４は、中心２０ｄに対して放射状に形成されている。４つのスリット２４は、デフレクタ２０の周方向に等間隔に配置されている。各スリット２４の長さは、例えば、デフレクタ２０の半径の１／３程度とされている。
【００３８】
図４（ａ）は、デフレクタ２０を下面２０ｂ側から見た斜視図であり、図４（ｂ）は、デフレクタ２０の底面図である。図４（ａ）及び図４（ｂ）に示されるように、デフレクタ２０は、下面２０ｂから突出する複数の第１突起２５と、下面２０ｂから第１突起２５よりも高く突出する１つの第２突起２６とを備えている。
【００３９】
各第１突起２５は、例えば、平面視において直径が１．５ｍｍの円形状となっており、下面２０ｂからＵ字状に突出している。本実施形態において、第１突起２５の個数は６５である。複数の第１突起２５は、下面２０ｂにおいて略均等に分散して配置されている。ここで、「第１突起が略均等に分散して配置されている」とは、第１突起がデフレクタの下面に満遍なく配置された状態を示している。「第１突起が略均等に分散して配置されている」には、例えば、複数の第１突起がデフレクタの中心に対して互いに対称となるように配置されている状態、又は複数の第１突起が同心円状に分散して配置されている状態が含まれる。本実施形態では、複数の第１突起２５は格子状に分散して配置されている。各第１突起２５は、互いに隣り合う２個の孔部２３の中間位置に配置されている。また、各第１突起２５は、平面視において正方形状に配置されると共に互いに隣り合う４個の孔部２３の中心に位置している。
【００４０】
第２突起２６は、一のスリット２４とヒータ挿通部２１との間に配置されている。図２及び図５に示されるように、第２突起２６は、湾曲して形成された頂部２６ａと、頂部２６ａから下面２０ｂに沿うように湾曲する曲面部２６ｂとを含んでいる。第２突起２６は、ウォッシャー液の流入部１７ｂに対向する位置に配置される。このように第２突起２６が頂部２６ａ及び曲面部２６ｂを有することにより、流入部１７ｂからのウォッシャー液を下面２０ｂに沿うように分散させることが可能となっている。また、平面視における第２突起２６の直径と流入部１７ｂの内径とが略一致しているので、流入部１７ｂからのウォッシャー液を効率よく分散可能となっている。
【００４１】
デフレクタ２０の厚さは、中心２０ｄ付近では厚くなっており、中心２０ｄから外縁２０ｃに向かうほど薄くなっている。具体的には、デフレクタ２０は、径方向外側に位置する環状の肉薄部２７と、肉薄部２７の径方向内側の端部から中心２０ｄに向かって徐々に厚くなる環状のテーパ部２８と、テーパ部２８の径方向内側に位置する環状の肉厚部２９とを有する。前述したスリット２４は、肉薄部２７及びテーパ部２８に形成されている。また、ヒータ挿通部２１は肉厚部２９に形成されており、チューブ保持孔２２はテーパ部２８及び肉厚部２９を跨ぐ位置に配置されている。
【００４２】
次に、本実施形態に係る加熱装置１の作用効果について説明する。
【００４３】
加熱装置１は、容器１１の内部におけるウォッシャー液の収容空間Ａを上下に仕切るデフレクタ２０と、デフレクタ２０によって仕切られた収容空間Ａの下側にウォッシャー液を流入させる流入部１７ｂとを備えている。従って、収容空間Ａに流入したウォッシャー液は、下側からデフレクタ２０に当たることになる。デフレクタ２０によって急激なウォッシャー液の上昇を抑えることができ、ウォッシャー液をゆっくり上昇させることができる。
【００４４】
また、デフレクタ２０には、下側から上側にウォッシャー液を通す複数の孔部２３が略均等に分散して配置されている。従って、略均等に分散して配置された複数の孔部２３のそれぞれからウォッシャー液が上昇する。よって、ウォッシャー液をスムーズに上昇させることができると共に、ウォッシャー液の圧力損失を低減させることができる。また、デフレクタ２０からは略均等にウォッシャー液がゆっくり上昇するので、デフレクタ２０の上側で撹拌を生じにくくすることができる。
【００４５】
更に、ウォッシャー液を加熱するヒータ１４の加熱部１４ａは、デフレクタ２０の上側に設けられる。よって、デフレクタ２０から略均等にゆっくり上昇するウォッシャー液を加熱部１４ａが加熱することにより、ウォッシャー液の加熱を十分に行うことができる。従って、流出部１３ｃから十分に加熱されたウォッシャー液を流出させることができるので、容器１１の外部に流出するウォッシャー液の温度低下を抑制することができる。
【００４６】
また、デフレクタ２０によって、収容空間Ａの上側の部分と下側の部分とが仕切られるので、下側の部分に加熱部１４ａの熱を逃げにくくすることができる。従って、流出部１３ｃから流出するウォッシャー液の温度低下を一層確実に抑制できる。
【００４７】
また、複数の孔部２３におけるウォッシャー液の流路断面積の合計は、流入部１７ｂにおけるウォッシャー液の流路断面積よりも大きい。よって、複数の孔部２３からウォッシャー液がよりスムーズに上昇するので、ウォッシャー液の圧力損失をより確実に低減させることができる。
【００４８】
また、デフレクタ２０は、下方に突出する複数の第１突起２５を有する。よって、デフレクタ２０から下側に複数の第１突起２５が突出する。従って、流入したウォッシャー液が下方から複数の第１突起２５に流れ込むことにより、デフレクタ２０の下側においてウォッシャー液を撹拌させることができる。よって、デフレクタ２０からのウォッシャー液の急激な上昇をより確実に抑えると共に、デフレクタ２０からのウォッシャー液の上昇をより均一にさせることができる。
【００４９】
また、デフレクタ２０は、流入部１７ｂに対向する位置で下方に突出する第２突起２６を有する。よって、容器１１内に流入したウォッシャー液は第２突起２６に流れ込むので、第２突起２６でウォッシャー液の流れを分散させることができる。従って、デフレクタ２０からのウォッシャー液の急激な上昇を一層確実に抑えることができ、デフレクタ２０からウォッシャー液を均一に且つゆっくりと上昇させることができる。更に、流入したウォッシャー液が分散されることにより、デフレクタ２０に対するウォッシャー液の流入圧力を低減させることができる。よって、ウォッシャー液の流入に伴うデフレクタ２０の振動を一層確実に抑えることができる。
【００５０】
また、デフレクタ２０は、柔軟性を有する材料で構成されている。従って、デフレクタ２０を容易に撓ませることができるので、加熱装置１の製造時又はメンテナンス時等における容器１１内部へのデフレクタ２０の配置を容易に行うことができる。
【００５１】
また、デフレクタ２０は、デフレクタ２０の外縁２０ｃから内側に延びるスリット２４を有する。よって、デフレクタ２０を一層容易に撓ませることができるので、容器１１内部へのデフレクタ２０の配置を一層容易に行うことができる。
【００５２】
更に、複数の第１突起２５は、下面２０ｂにおいて分散して配置されている。このように複数の第１突起２５が分散して配置されていることによって、デフレクタ２０の下方におけるウォッシャー液の撹拌を一層促進させることができる。従って、デフレクタ２０からのウォッシャー液の上昇流を一層均一にさせることができるので、容器１１から排出されるウォッシャー液の温度低下を一層確実に抑制できる。また、第１突起２５は２つの孔部２３の中間位置に配置されており、更に、第１突起２５は、正方形状に配置された４つの孔部２３の中心位置に配置されている。従って、第１突起２５によって十分に撹拌されたウォッシャー液のみを孔部２３に通すことができる。
【００５３】
また、デフレクタ２０は、ＥＰＤＭによって構成されている。従って、デフレクタ２０が柔軟にされていると共に、デフレクタ２０の材料を、アルコール又は表面活性剤等の薬品に耐えうるものとすることができる。
【００５４】
また、デフレクタ２０では、複数のスリット２４が外縁２０ｃから径方向内側に延びている。従って、スリット２４が形成された部分を境としてデフレクタ２０を撓ませやすくすることができるので、容器１１内へのデフレクタ２０の挿入性を高めることができる。
【００５５】
また、デフレクタ２０は、径方向外側に設けられた肉薄部２７と、径方向内側に設けられた肉厚部２９とを備えており、径方向外側に向かうにつれて薄くなっている。従って、デフレクタ２０の外側の部分を撓ませ易くすることができるので、容器１１に対するデフレクタ２０の挿入性を一層高めることができる。
【００５６】
（第２実施形態）
次に、第２実施形態に係るウォッシャー液の加熱装置３１について図６を参照しながら説明する。第１実施形態に係る加熱装置１では容器１１の開口部１１ｅが下方を向いていたが、加熱装置３１では、容器４１の開口部４１ｅが横方向を向いている点で第１実施形態と異なっている。また、ウォッシャー液の流入領域４２ａ、デフレクタ５０、及び第２流出チューブ４３ｂの構造が第１実施形態と異なっている。以下では、第１実施形態と重複する説明を省略する。
【００５７】
第２実施形態において、流入領域４２ａはデフレクタ５０の下方に設けられる。デフレクタ５０には固定部材５５が取り付けられており、デフレクタ５０は、この固定部材５５によって収容空間Ａに固定される。また、デフレクタ５０は、キャップ１７の第１筒状部１７ａに連通する内部領域５１と、内部領域５１の下部に設けられた複数の流入部５２と、平面視において流入部５２の外側に位置する孔部５３とを有する。孔部５３は第１実施形態の孔部２３に相当する部位である。よって、孔部２３と同様、複数の孔部５３が略均等に分散して配置されている。
【００５８】
また、ヒータ１４は、デフレクタ５０によって仕切られた収容空間Ａの上側に設けられており、この収容空間Ａの上側にヒータ１４の加熱部１４ａが位置している。また、第２流出チューブ４３ｂは、第１実施形態の第２流出チューブ１３ｂと同様、第２筒状部１７ｃに接続されている。第２流出チューブ４３ｂは、上方に突出する枝分かれ部４３ｃを備えており、この枝分かれ部４３ｃの上端がウォッシャー液の流出部４３ｄとされている。流出部４３ｄは、第１実施形態と同様、収容空間Ａのウォッシャー液の体積が収容空間Ａの容積の９０％以下となる箇所に位置している。
【００５９】
加熱装置３１は、ウォッシャー液が流入する第１筒状部１７ａ及びウォッシャー液が流出する第２筒状部１７ｃに嵌め込まれる断熱材５４を備える。断熱材５４は、例えば発泡スチロール等の発泡材である。断熱材５４は、容器４１の内側面において、キャップ１７の第１筒状部１７ａと第２筒状部１７ｃとを囲むように配置される。このように容器４１のウォッシャー液の出入口付近に断熱材５４を配置することにより、容器４１の出入口付近からウォッシャー液の熱が逃げるのを抑制することができる。
【００６０】
以上、第２実施形態に係る加熱装置３１は、容器４１の内部におけるウォッシャー液の収容空間Ａを上下に仕切るデフレクタ５０と、デフレクタ５０によって仕切られた収容空間Ａの下側にウォッシャー液を流入させる流入部５２とを備えている。従って、流入したウォッシャー液は、下方からデフレクタ５０に当たることになるので、デフレクタ５０によって急激なウォッシャー液の上昇を抑えることができ、ウォッシャー液をゆっくり上昇させることができる。また、デフレクタ５０には、下側から上側にウォッシャー液を通す複数の孔部５３が略均等に分散して配置されている。従って、第１実施形態の加熱装置１と同様の効果が得られる。
【００６１】
以上、本開示の実施形態について説明したが、本開示は、前述の実施形態に限定されるものではなく、各請求項に記載した要旨を変更しない範囲で変形し、又は他のものに適用したものであってもよい。すなわち、本開示は、各請求項の要旨を変更しない範囲で種々の変形が可能である。
【００６２】
例えば、前述の実施形態では、容器１１がカバー１１ａ、発泡ケース１１ｂ及び内側容器１１ｃを備える例について説明した。しかしながら、ウォッシャー液を収容する容器の構成は、カバー１１ａ及び発泡ケース１１ｂを有するものに限られず、適宜変更可能である。また、流入チューブ１２、第１流出チューブ１３ａ及び第２流出チューブ１３ｂの配置態様、個数及び大きさについても適宜変更可能である。
【００６３】
また、前述の実施形態では、中心軸線Ｌに沿って延びる棒状のヒータ１４について説明した。しかしながら、ヒータの形状、大きさ及び配置態様は適宜変更可能である。例えば、デフレクタ２０の下側にヒータ１４の加熱部１４ａが配置されてもよい。更に、配線１５、制御回路１６、キャップ１７及びパッキン１８の形状、大きさ、配置位置及び個数についても前述の実施形態に限られず適宜変更可能である。
【００６４】
また、前述の実施形態では、収容空間Ａを仕切る仕切部材としてデフレクタ２０を説明した。しかしながら、仕切部材の形状、大きさ、材料及び配置態様については、前述の実施形態に限定されない。更に、仕切部材に形成された孔部、スリット、第１突起及び第２突起の形状、大きさ、個数及び配置態様についても、前述したデフレクタ２０に限定されず適宜変更可能である。
【００６５】
また、前述の実施形態では、加熱装置１が、ウォッシャー液タンク２、ウォッシャー液ポンプ３、ウォッシャー液ノズル４及び操作部５を備える供給システムＳに配置される例について説明した。しかしながら、本開示に係るウォッシャー液の加熱装置は、供給システムＳに限られず、種々のウォッシャー液の供給システムに適用させることができる。
【産業上の利用可能性】
【００６６】
本開示によれば、ウォッシャー液の圧力損失を抑制すると共に、容器外に流出するウォッシャー液の温度低下を抑制することができる。
【符号の説明】
【００６７】
１，３１…加熱装置、２…ウォッシャー液タンク、３…ウォッシャー液ポンプ、４…ウォッシャー液ノズル、５…操作部、６…第１管路、７…第２管路、８…逆流防止弁、８ａ…ハウジング、８ｂ…ボール、８ｃ…スプリング、１１，４１…容器、１１ａ…カバー、１１ｂ…発泡ケース、１１ｃ…内側容器、１１ｄ…ブラケット、１１ｅ，４１ｅ…開口部、１１ｆ…蓋部、１１ｇ…底部、１２…流入チューブ、１３ａ…第１流出チューブ、１３ｂ，４３ｂ…第２流出チューブ、１３ｃ，４３ｄ…流出部、１３ｄ…上側部、１４…ヒータ、１４ａ…加熱部、１４ｂ…非加熱部、１５…配線、１６…制御回路、１７…キャップ、１７ａ…第１筒状部、１７ｂ，５２…流入部、１７ｃ…第２筒状部、１７ｄ…外縁部、１７ｅ…外周部、１７ｆ…挿通部、１８…パッキン、２０，５０…デフレクタ（仕切部材）、２０ａ…上面、２０ｂ…下面、２０ｃ…外縁、２０ｄ…中心、２１…ヒータ挿通部、２１ａ…傾斜筒部、２１ｂ…円筒部、２２…チューブ保持孔、２３，５３…孔部、２４…スリット、２５…第１突起、２６…第２突起、２７…肉薄部、２８…テーパ部、２９…肉厚部、４２ａ…流入領域、４３ｃ…枝分かれ部、５１…内部領域、５４…断熱材、５５…固定部材、Ａ…収容空間、Ｌ…中心軸線、Ｐ…ポッティング部、Ｓ…供給システム。
【図１】
2017159373.tif 000003
【図２】
2017159373.tif 000004
【図３】
2017159373.tif 000005
【図４】
2017159373.tif 000006
【図５】
2017159373.tif 000007
【図６】
2017159373.tif 000008
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
ウォッシャー液を収容する容器と、
前記ウォッシャー液の収容空間を上下に仕切る仕切部材と、
前記仕切部材によって仕切られた前記収容空間の下側にウォッシャー液を流入させる流入部と、
前記仕切部材によって仕切られた前記収容空間の上側に設けられ、前記容器内から前記ウォッシャー液が流出する流出部と、
前記収容空間に位置する加熱部と、を備え、
前記仕切部材には、前記収容空間の下側から上側に向かって前記ウォッシャー液を通す複数の孔部が略均等に分散して配置されており、
前記仕切部材は、下方に突出する複数の第１突起を有する、
ウォッシャー液の加熱装置。
【請求項４】
ウォッシャー液を収容する容器と、
前記ウォッシャー液の収容空間を上下に仕切る仕切部材と、
前記仕切部材によって仕切られた前記収容空間の下側にウォッシャー液を流入させる流入部と、
前記仕切部材によって仕切られた前記収容空間の上側に設けられ、前記容器内から前記ウォッシャー液が流出する流出部と、
前記収容空間に位置する加熱部と、を備え、
前記仕切部材には、前記収容空間の下側から上側に向かって前記ウォッシャー液を通す複数の孔部が略均等に分散して配置されており、
前記仕切部材は、前記流入部に対向する位置で下方に突出する第２突起を有する、
ウォッシャー液の加熱装置。
【請求項５】
前記仕切部材は、柔軟性を有する材料で構成されている、
請求項３又は４に記載のウォッシャー液の加熱装置。
【請求項６】
前記仕切部材は、前記仕切部材の外縁から内側に延びるスリットを有する、
請求項５に記載のウォッシャー液の加熱装置。
【国際調査報告】
2017159373.tif 000009
2017159373.tif 000010
2017159373.tif 000011
2017159373.tif 000012